(57)【特許請求の範囲】
【請求項１】
冷却家電機器のインナータンク内に配置される非貯水式生存保持装置であって、内方または外方へ引っ張り可能な生存保持箱と、前記生存保持箱に接続される温度制御モジュールおよび湿度制御モジュールとを備える非貯水式生存保持装置において、
エア制御モジュールをさらに備え、
前記エア制御モジュールは、前記生存保持箱の側壁に開口したエアホールと、冷却家電機器のインナータンクに固定されるエアダクトとを備え、前記エアホールは、吸気口および排気口を含み、前記エアダクトは、吸気ダクトおよび排気ダクトを含み、前記生存保持箱が冷却家電機器のインナータンクに押し込まれたとき、前記吸気ダクトおよび排気ダクトが前記吸気口および排気口とそれぞれ密閉接続され、前記生存保持箱が引き出されたとき、前記吸気ダクトおよび排気ダクトが前記吸気口および排気口とそれぞれ切り離され、
前記生存保持箱内の前記排気口に対応する箇所には、生存保持箱を引っ張る方向に沿って延在する突出ブロックが設けられ、前記突出ブロック内には、前記突出ブロックを貫通する貫通溝が設けられ、前記生存保持箱内のエアの排出が容易になるように前記貫通溝が前記排気口に連通されることを特徴とする非貯水式生存保持装置。
【請求項２】
前記吸気口および排気口が何れも前記生存保持箱の同一の側壁に開口し、垂直方向において、前記吸気口の形成位置が前記排気口の形成位置より上方であることを特徴とする請求項１に記載の非貯水式生存保持装置。
【請求項３】
前記吸気口と前記排気口とは、前記生存保持箱の同一の側壁で対角線をなすように設けられていることを特徴とする請求項２に記載の非貯水式生存保持装置。
【請求項４】
前記排気口は、前記生存保持箱の裏壁に開口し、前記突出ブロックは、前記生存保持箱の裏壁から前記生存保持箱の前方側まで延在し、前記貫通溝は、前記生存保持箱の前方側に開口していることを特徴とする請求項１に記載の非貯水式生存保持装置。
【請求項５】
インナータンクを備える冷却家電機器であって、前記インナータンク内には、請求項１から４の何れか一項に記載の非貯水式生存保持装置が配置されていることを特徴とする冷却家電機器。
【発明の詳細な説明】
【技術分野】
【０００１】
本願は、出願日が２０１５年０１月０７日、出願番号が２０１５１０００６４８７.９、発明の名称が「非貯水式生存保持装置および当該非貯水式生存保持装置を有する冷却家電機器」である中国特許出願に基づいて優先権を主張する。当該中国特許出願の全ての内容は、ここに参考として引用される。
【０００２】
本発明は、非貯水式生存保持装置（Ｗａｔｅｒｌｅｓｓ  Ｋｅｅｐ−ａｌｉｖｅ  Ｄｅｖｉｃｅ）および当該非貯水式生存保持装置を有する冷却家電機器に関する。
【背景技術】
【０００３】
冷蔵庫は、食品の保存期限を長くするように、主に食品を低温で冷藏や冷凍する。魚、海老、貝類のような水産物は水中で生存するため、これらの水産物を収納する従来の容器は、水で充満されるとともに水中に酸素を注いでこれらの水産物の生存条件を満たす必要がある。技術の急速な発展とともに、魚、海老、貝類のような水産物を冷蔵庫に入れて存活状態を保持できるものは、ますますユーザの愛顧を受けている。さらに、魚、海老、貝類のような水産物を冷蔵庫内の非貯水式の容器に入れて生存状態を保持させることは、冷蔵庫の重要な発展傾向の一つである。
【０００４】
上記水産物にとって、酸素も欠かせないものであるが、従来の非貯水式生存保持装置では酸素濃度が一般的な水産物の生存条件に至らないため、水産物が非貯水式生存保持装置で生存する時間は短くなる。そして、従来の非貯水式生存保持装置は、吸気口と排気口が吸気管と排気管にそれぞれ固定接続されるため、非貯水式生存保持装置から収納物を取り出そうとするとき、非貯水式生存保持装置の前方側のドアを開いて物を取る以外にほかない。その一方、非貯水式生存保持装置の奥側にある収納物の取り出しが不便になる。
【０００５】
これに鑑みて、従来の非貯水式生存保持装置を改良して上記問題を解決する必要がある。
【発明の概要】
【発明が解決しようとする課題】
【０００６】
本発明の目的は、魚、海老、貝類のような水産物の非貯水の環境での生存時間が長くなるとともに物の取り出しも便利になるような非貯水式生存保持装置を提供することにある。
【課題を解決するための手段】
【０００７】
上記発明の目的を果たすために、本発明は、冷却家電機器のインナータンク（Ｉｎｎｅｒ  Ｔａｎｋ）内に配置される非貯水式生存保持装置を提供する。前記非貯水式生存保持装置は、内方または外方へ引っ張り可能な生存保持箱と、前記生存保持箱に接続される温度制御モジュールおよび湿度制御モジュールと、エア制御モジュールとを備える。前記エア制御モジュールは、前記生存保持箱の側壁に開口したエアホールと、冷却家電機器のインナータンクに固定されるエアダクトとを備える。前記生存保持箱が冷却家電機器のインナータンクに押し込まれたとき、前記エアダクトが前記エアホールに密閉接続され、前記生存保持箱が引き出されたとき、前記エアダクトが前記エアホールと切り離される。
【０００８】
本発明の更なる改良として、前記エアホールは、吸気口および排気口を含み、前記エアダクトは、吸気ダクトおよび排気ダクトを含み、前記生存保持箱が冷却家電機器のインナータンクに押し込まれたとき、前記吸気ダクトおよび排気ダクトが前記吸気口および排気口とそれぞれ密閉接続され、前記生存保持箱が引き出されたとき、前記吸気ダクトおよび排気ダクトが前記吸気口および排気口とそれぞれ切り離される。
【０００９】
本発明の更なる改良として、前記吸気口および排気口が何れも前記生存保持箱の同一の側壁に開口し、垂直方向において、前記吸気口の形成位置が前記排気口の形成位置より上方である。
【００１０】
本発明の更なる改良として、前記吸気口と前記排気口とは、前記生存保持箱の同一の側壁で対角線をなすように設けられている。
【００１１】
本発明の更なる改良として、前記生存保持箱内の前記排気口に対応する箇所には、生存保持箱を引っ張る方向に沿って延在する突出ブロックが設けられ、前記突出ブロック内には、前記突出ブロックを貫通する貫通溝が設けられ、前記生存保持箱内のエアの排出が容易になるように前記貫通溝が前記排気口に連通される。
【００１２】
本発明の更なる改良として、前記排気口は、前記生存保持箱の裏壁に開口し、前記突出ブロックは、前記生存保持箱の裏壁から前記生存保持箱の前方側まで延在し、前記貫通溝は、前記生存保持箱の前方側に開口している。
【００１６】
本発明のさらなる目的は、魚、海老、貝類のような水産物の非貯水環境での生存時間が長くなるとともに物の取り出しが便利になるような冷却家電機器を提供する。
【００１７】
本発明の上記目的を果たすために、本発明は、インナータンクを備える冷却家電機器を提供する。前記インナータンク内には、上記非貯水式生存保持装置が配置される。
【発明の効果】
【００１８】
本発明の格別な作用効果は、下記のようになる。本発明の非貯水式生存保持装置では、吸気口および排気口を含むエアホールを生存保持箱の側壁に設けるとともに吸気ダクトおよび排気ダクトを含むエアダクトを冷却家電機器のインナータンクに固定することにより、前記生存保持箱が冷却家電機器のインナータンクに押し込まれたとき、前記吸気ダクトおよび排気ダクトが前記吸気口および排気口とそれぞれ密閉接続され、前記生存保持箱が引き出されたとき、前記吸気ダクトおよび排気ダクトが前記吸気口および排気口とそれぞれ切り離される。これにより、本発明の非貯水式生存保持装置が生存保持箱を引っ張ることで物の取り出しが便利になる。
【図面の簡単な説明】
【００１９】
【図１】本発明の非貯水式生存保持装置の斜視図である。
【図２】図１における非貯水式生存保持装置の分解図である。
【図３】図２における生存保持箱とエアダクトとが密閉接続状態である場合の斜視図である。
【図４】図３の別の視角の斜視図である。
【図５】図４における生存保持箱の単独斜視図である。
【図６】図４におけるエアダクトの単独斜視図である。
【図７】図６に示すエアダクトの分解図である。
【図８】本発明の非貯水式生存保持装置の別の実施形態の斜視図である。
【発明を実施するための形態】
【００２０】
本発明の目的、技術案および利点をより明確化させるように、図面および具体的な実施例を組み合わせて本発明を以下で詳細に説明する。
【００２１】
冷却家電機器は、冷蔵庫、冷凍庫、および、食品を低温で冷藏や冷凍して食品の保存期限を長くする他の家庭用電器を含む。本発明の明細書の下記部分は、冷蔵庫を例として詳細に説明する。
【００２２】
図１および図２に示すように、本発明の冷蔵庫は、物品を収納する筐体と、前記筐体を開放や閉鎖するドアとを備える。前記筐体内に冷蔵庫のインナータンクが設けられる。前記冷蔵庫のインナータンク内に別個の非貯水式生存保持装置１００が配置される。前記非貯水式生存保持装置１００は、魚、海老、貝類のような水産物を収納する。
【００２３】
前記非貯水式生存保持装置１００は、上記水産物を収納して生存保持するような、内方または外方へ引っ張り可能な生存保持箱１０と、前記生存保持箱１０に配置されて前記生存保持箱１０を密封被覆するカバー３０と、前記生存保持箱１０に接続される温度制御モジュールおよび湿度制御モジュールと、エア制御モジュールとを備える。前記温度制御モジュールは、前記生存保持箱１０内の温度をリアルタイムに検出して制御する。前記湿度制御モジュールは、前記生存保持箱１０内の湿度をリアルタイムに検出して制御する。前記エア制御モジュールは、前記生存保持箱１０内の酸素濃度をリアルタイムに検出して制御する。こうして、上記水産物の特殊な生存環境が満たされる。前記温度制御モジュールおよび湿度制御モジュールが従来技術に属するため、再び詳しく説明しない。
【００２４】
図３から図５に示すように、前記エア制御モジュールは、前記生存保持箱１０の側壁に開口したエアホールと、冷蔵庫のインナータンクに固定されるエアダクトとを備える。前記生存保持箱１０が冷蔵庫のインナータンクに押し込まれたとき、前記エアダクトが前記エアホールに密閉接続される。前記生存保持箱１０が取り出されたとき、前記エアダクトが前記エアホールと切り離される。前記エアホールは、吸気口１１および排気口２１を含む。前記エアダクトは、吸気ダクト１２および排気ダクト２２を含む。前記生存保持箱１０が冷蔵庫のインナータンクに押し込まれたとき、前記吸気ダクト１２および排気ダクト２２は、それぞれ前記吸気口１１および排気口２１に密閉接続される。前記生存保持箱１０が取り出されたとき、前記吸気ダクト１２および排気ダクト２２は、それぞれ前記吸気口１１および排気口２１と切り離される。
【００２５】
前記吸気口１１と排気口２１が何れも前記生存保持箱１０の同一の側壁に開口し、垂直方向において前記吸気口１１の形成位置が前記排気口２１の形成位置より上である。本実施形態において、前記吸気口１１と前記排気口２１は、前記生存保持箱１０の同一の側壁で対角線をなすように設けられる。前記吸気ダクト１２は、酸素供給装置に接続されて前記生存保持箱１０内へ酸素を供給する。前記排気ダクト２２は、排気装置に接続されて生存保持箱１０内の排ガスを排出する。
【００２６】
前記生存保持箱１０は、引き出し状に設けられる。当該生存保持箱１０は、トップ開口１０１と、互いに対向配置される前壁１０２および裏壁１０３と、互いに対向配置される左側壁１０４および右側壁１０５と、トップ開口１０１に対向配置される底壁１０６とを備える。前記前壁１０２には前記生存保持箱１０を前後に引っ張り可能なハンドル１０２１が設けられ、前記左側壁１０４および右側壁１０５のそれぞれにはスライドレール１０７が設けられ、それに対応して前記冷蔵庫のインナータンクにはスライドウェイ（図示せず）が設けられている。こうして、前記スライドレール１０７と前記スライドウェイの係合で、前記生存保持箱１０は、前記冷蔵庫のインナータンク内で前後に引っ張られることができる。
【００２７】
前記前壁１０２、裏壁１０３、左側壁１０４、右側壁１０５および底壁１０６は、共同して収納スペース１０８を取り囲むように設けられ、上記魚、海老、貝類のような水産物を収納する。本実施形態では、前記裏壁１０３、左側壁１０４、右側壁１０５および底壁１０６が一体成形で設けられ、前記前壁１０２の両端がそれぞれ前記左側壁１０４および右側壁１０５の末端と係止固定される。無論、前記前壁１０２、裏壁１０３、左側壁１０４、右側壁１０５および底壁１０６も一体成形で設けられていてもよい。
【００２８】
前記吸気口１１と排気口２１が何れも前記裏壁１０３に開口している。そして、前記吸気口１１が前記裏壁１０３の左上角に開口し、前記排気口２１が前記裏壁１０３の右下角に開口していることで、裏壁１０３において対角線をなす。前記生存保持箱１０内の前記排気口２１に対応する箇所に、生存保持箱１０を引っ張る方向に沿って延在する突出ブロック１３が設けられている。前記突出ブロック１３は、前記生存保持箱１０の裏壁１０３から前記生存保持箱１０の前方側（即ち、前壁１０２に近い箇所）まで延在する。前記突出ブロック１３内に、前記突出ブロック１３を貫通する貫通溝（図示せず）が設けられている。前記貫通溝が前記排気口２１に連通され、且つ前記貫通溝が前記生存保持箱１０の前方側に開口していることで、前記生存保持箱１０内の排ガス（例えば、二酸化炭素）は、前記貫通溝および排気ダクト２２を介して生存保持箱１０から排出することができる。それとともに、酸素供給装置が吸気ダクト１２を介して生存保持箱１０内へ酸素を注ぐときに酸素が他の排ガスとともに生存保持箱１０から排出されることは、回避できる。
【００２９】
無論、前記生存保持箱１０内に前記突出ブロック１３を設けず、直接排気ダクト２２を生存保持箱１０の左側壁１０４あるいは底壁１０６内に埋設してから、底壁１０６の前方側に排気口（図示せず）を開口してもよい。こうして、生存保持箱１０内の排ガスは、排気口および排気ダクト２２を介して生存保持箱１０から排出されることができる。
【００３０】
図６と図７に示すように、前記吸気ダクト１２の構造が前記排気ダクト２２と同様であるため、明細書の下記部分は、吸気ダクト１２を例として詳細に説明し、排気ダクト２２の構造を説明しない。前記吸気ダクト１２は、冷蔵庫のインナータンクに固定される固定部１２１と、固定部１２１の末端から外方へ延在して吸気口１１にドッキングされるドッキング部１２２とを備える。前記ドッキング部１２２の直径は、前記吸気ダクト１２の断面がほぼ銃弾形をなすように、前記固定部１２１の末端から次第に減少していく。前記ドッキング部１２２での固定部１２１寄りの箇所には、固定部１２１の直径より大きい直径の接続部１２３が突出するように設けられている。
【００３１】
前記吸気ダクト１２は、さらに、前記接続部１２３とドッキング部１２２の一部とに係止されるシール部材１２４を備える。こうして、吸気ダクト１２が吸気口１１にドッキングされたとき、前記吸気口１１および吸気ダクト１２を密閉接続できる。前記シール部材１２４内に、前記接続部１２３を収容するための収容溝（図示せず）が設けられている。前記吸気口１１に密閉接続されたときに前記吸気口１１の内側壁を収容するように、前記シール部材１２４の外側から凹んだスロット１２４１が形成されている。前記シール部材１２４は、前記吸気ダクト１２にスリーブ接続され、フレキシブル材料からなる。無論、前記シール部材１２４は、前記吸気ダクト１２と一体成形で設けられていてもよい。
【００３２】
図１および図２に示すように、前記カバー３０は、トレー状のカバー部３１と、前記カバー部３１の周りに位置するオーバーラッピング部３２とを備える。ただし、前記裏壁１０３、左側壁１０４および右側壁１０５の上方に位置するオーバーラッピング部３２が水平方向に延在し、対応して前記前壁１０２の一方側に位置するオーバーラッピング部３２が垂直方向に沿って延在する。こうして、生存保持箱１０とカバー３０を組み立てるとき、前記カバー部３１が前記トップ開口１０１から前記収納スペース１０８内に突入し、前記オーバーラッピング部３２が前記裏壁１０３、左側壁１０４および右側壁１０５の上側エッジにオーバーラッピングされる。その一方、前記前壁１０２の一方側に位置するオーバーラッピング部３２は、前壁１０２に密着し、係合して前記収納スペース１０８を密閉する。また、前記前壁１０２の一方側に位置するオーバーラッピング部３２は、さらに、生存保持箱１０が冷蔵庫のインナータンクに押し込まれた後で生存保持箱１０のさらなる進入を抑圧することができる。
【００３３】
水産物が保存状態であるとき、吸気口１１が吸気ダクト１２に接続され、排気口２１が排気ダクト２２に接続される。水産物を取り入れる必要があるとき、収納スペース１０８が完全に露出するまで、生存保持箱１０を外方へ引っ張る。その際、吸気口１１が吸気ダクト１２と切り離され、排気口２１が排気ダクト２２と切り離される。水産物の取り入れが完了した後、吸気口１１および排気口２１と吸気ダクト１２および排気ダクト２２とのそれぞれの接続が回復されるまで、前記生存保持箱１０を冷蔵庫のインナータンク内へ押し込む。
【００３４】
図８は、本発明の非貯水式生存保持装置１００の別の実施形態の斜視図である。当該実施形態において、前記非貯水式生存保持装置１００′は、２つの生存保持箱１０′と、２つのカバー３０′を備える。そして、前記２つの生存保持箱１０′と２つのカバー３０′との構造は、それぞれ上記生存保持箱１０および上記カバー３０と同様である。図８に示す非貯水式生存保持装置１００′と図１に示す非貯水式生存保持装置１００との区別は、主に、下記のようになる。図８に示す非貯水式生存保持装置１００′が図１に示す２つの非貯水式生存保持装置１００を重ね合わせたものである一方、本実施形態では、前記非貯水式生存保持装置１００′の２つの生存保持箱１０′での吸気ダクト１２′が互いに接続し連通されるとともに、２つの排気ダクト２２′も互いに接続し連通される。前記非貯水式生存保持装置１００′は、前記吸気ダクト１２′に連通される吸気管１４と、前記排気ダクト２２′に連通される排気管１５とをさらに備える。前記吸気管１４は、酸素供給装置に接続されることで前記生存保持箱１０′内へ酸素を供給する。前記排気管１５は、排気装置に接続されることで生存保持箱１０′内の排ガスを排出する。
【００３５】
このように、本発明の非貯水式生存保持装置１００、１００′は、複数の生存保持箱１０、１０′と、複数のカバー３０、３０′とを備えてもよい。当該複数の生存保持箱１０、１０′の吸気ダクト１２、１２′と排気ダクト２２、２２′とが互いに連通されて酸素供給および排ガスの排出を実現できればよいが、特に制限はしない。
【００３６】
このように、本発明の非貯水式生存保持装置１００、１００′では、吸気口１１および排気口２１を生存保持箱１０、１０′の裏壁１０３、１０３′に設けるとともに、吸気ダクト１２、１２′および排気ダクト２２、２２′を冷蔵庫のインナータンクに固定することにより、前記生存保持箱１０、１０′が冷蔵庫のインナータンクに押し込まれたとき、前記吸気ダクト１２、１２′および排気ダクト２２、２２′がそれぞれ前記吸気口１１および排気口２１に密閉接続され、前記生存保持箱１０、１０′が取り出されたとき、前記吸気ダクト１２、１２′および排気ダクト２２、２２′がそれぞれ前記吸気口１１および排気口２１と切り離される。さらに、本発明の非貯水式生存保持装置１００、１００′は、生存保持箱１０、１０′内の酸素濃度が水産物の生存条件を満たした上で物の取り出しの利便性を実現できる。
【００３７】
上記実施例は、制限ではなく、単に本発明の技術案を説明するためのものである。好適な実施例を参照して本発明を詳細に説明してきたが、当業者であれば分かるように、本発明の技術案に対してなされた補正や均等置換は、本発明の技術案の要旨および範囲から逸脱しない。
【図１】
0006452825.tif 000002
【図２】
0006452825.tif 000003
【図３】
0006452825.tif 000004
【図４】
0006452825.tif 000005
【図５】
0006452825.tif 000006
【図６】
0006452825.tif 000007
【図７】
0006452825.tif 000008
【図８】
0006452825.tif 000009